Podtech/llm-jp-corpus-v4-ja_patent huggingface dataset:
(57)【要約】【課題】周波数の広い範囲で電波に対してステルス性を持たせるための電波散乱体もしくは電波吸収体を有する電波散乱体を薄くて安価に提供する。【解決手段】構造体の表面を電波錯乱体または電波吸収体を有する電波錯乱体にして、電波が四方八方に散ってしまうようにする。この場合、低周波まで、全ての周波数の電波を散乱させることが可能となる。【選択図】図１
2012039587.tif 000002
【特許請求の範囲】
【請求項１】
平面もしくは曲面を維持する複数の部分を残しながら、多くの部分を複数の凹にしたことを特徴とする電波散乱体。
【請求項２】
複数の凹部が少しの間隔をおいて互いに接する細長い部分がアンテナ機能を持つことによって、電波を再放射ことを防止するために該細長い部分にへこみ部を設けたことを特徴とする請求項１の電波散乱体。
【請求項３】
複数の凹部がかならずしも同じ大きさでないことを特徴とする請求項１、２の電波散乱体。
【請求項４】
薄い板をへこませることにより形成した、請求項１，２，３の電波散乱体。
【請求項５】
厚い板を削ることにより形成した、請求項１，２，３，４の電波散乱体。
【請求項６】
薄い板または厚い板が金属であることを特徴とする請求項１〜５の電波散乱体。
【請求項７】
薄い板または厚い板が金属以外の材料であり、少なくとも複数の凹部の表面に電波反射膜を設けたことを特徴とする請求項１〜７の電波散乱体。
【請求項８】
少なくとも凹部に充填材を充填して、表面を平面もしくは曲面にしたことを特徴とする請求項１〜７の電波散乱体。
【請求項９】
誘電率の高い充填材を用いて、凹部を小さくすることを特徴とした請求項１〜８の電波散乱体。
【請求項１０】
電波吸収性の充填材を用いた請求項１〜９の電波散乱体。
【請求項１１】
凹部を凸部に変更したことを特徴とする請求項１〜１０の電波散乱体。
【請求項１２】
請求項１〜１１の電波散乱体を少なくとも一部に用いた、船、戦車、飛行機などの構造体。
【発明の詳細な説明】
【技術分野】
【０００１】  本発明は、ステルス性を持たせる構造体や電波暗室などに用いる電波散乱体もしくは電波吸収性を有する電波散乱体に関するものである。
【背景技術】
【０００２】  周波数の広い範囲で電波に対してステルス性を持たせるために、電波を吸収する特性をもつ、電波吸収体を四角錘にして多数並べた、いわゆるピラミッドタイプの電波吸収体が有る。しかし、これは高さが高いという欠点がある。一方、１／２波長の厚さの電波吸収板の内部構成を複雑に変化させた薄い電波吸収体が有る。しかしこれは、電波吸収の周波数帯域を広くする事がなかなかむずかしい。
【先行技術文献】
【特許文献】
【０００３】
【特許文献１】特開２００３−２８３２４３  電波半反射体及びその製造方法
【特許文献２】特開２００３−２８３２４２  電波半反射体及び該電波反射体
【特許文献３】特開２００１−３１３５２１  電波減衰退
【０００４】
【非特許文献１】なし
【発明の概要】
【発明が解決しようとする課題】
【０００５】  周波数の広い範囲で電波に対してステルス性を持たせるための電波散乱体もしくは電波吸収体を有する電波散乱体を薄くて安価に提供する。
【課題を解決するための手段】
【０００６】  構造体の表面を電波散乱体または電波吸収体を有する電波散乱体にして、電波が四方八方に散ってしまうようにする。このようにすると、低周波まで、全ての周波数の電波を散乱させることを可能となる。
【発明の効果】
【０００７】  ピラミッドタイプの電波吸収体に比較して厚みは１／５と薄く、１／２波長の厚さの電波吸収板の内部構成を複雑に変化させた薄い電波吸収体に比較して簡単な構造で、周波数の広い範囲で電波に対してステルス性を持たせるための電波散乱体となる。
【図面の簡単な説明】
【０００８】
【図１】  円錐凹面を有する電波散乱体で入射電波を入射方向には戻さず、他の方向に反射させる電波散乱体。
【発明を実施するための形態】
【０００９】  図１の電波散乱体を準備しステルス性を持たせたい物体、たとえば船、装甲車、飛行機等の外板を削る、外板を凹状にへこませるなどして、レーダ波をレーダ送信位置に戻さず他の方向へ反射させステルス性を得る。
【実施例】  図１【００１０】  船の喫水線の２ｍ下から上部に向って、船の外板を円板上に削って図１に示す形状を形成した。そしてこの凹部に、カーボンパウダーを含んだウレタン樹脂を充填した。するとレーダー波がレーダーに戻りにくくなり、しかも水抵抗も少ないステルス船が完成した。
【産業上の利用可能性】
【００１１】  ステルス性を持たせたい物体の外板に凹状の部分を形成することによってステルス性能を付与できる。例えば船、装甲車、飛行機などである。
【符号の説明】
【００１２】  １、金属
２、円錐形状
３、溝
【受託番号】
【００１３】
【図１】
2012039587.tif 000003
(57)【要約】【課題】本発明は、送信機出力回路とアンテナ間の整合に要する時間を短縮するためのアンテナ整合方法を提供することを目的とする。【解決手段】整合を行う周波数の前後で最も近い周波数の整合データをメモリ１１から読み出し前後2点のアンテナインピーダンスを求める。前後2点の周波数インピーダンスから整合する周波数のアンテナインピーダンスを推測して整合用コンデンサおよび整合用コイルの組み合わせの最適値を求め、求めた最適値に整合用コンデンサおよび整合用コイルをＣＰＵ１０で設定後整合センサ７の値を見ながら微調整する。以上のように整合動作は微調整のみとなるので整合時間が短縮される。【選択図】  図２
2012039310.tif 000002
【特許請求の範囲】
【請求項１】
送信機出力回路とアンテナを整合する整合器において、前記整合器の整合状態を監視する整合センサを有し、整合するためのコンデンサおよびコイルを有し、前記コンデンサおよび前記コイルをＯＮ、ＯＦＦするＣＰＵを有し、前記コンデンサおよび前記コイルを前記ＣＰＵでＯＮ、ＯＦＦして整合した状態を記憶するメモリを有し、前記送信機出力回路と前記アンテナの整合を行う周波数の前後で最も近い周波数の整合データをメモリから読み出して、前記整合周波数の前後2点のアンテナインピーダンスを求め、前記前後2点の周波数インピーダンスから前記整合する周波数のアンテナインピーダンスを推測して前記コンデンサおよび前記コイルの組み合わせの最適値を求め、求めた最適値に前記コンデンサおよび前記コイルを前記ＣＰＵで設定後前記整合センサの値を見ながら微調整することを特徴とするアンテナ同調方法。
【発明の詳細な説明】
【技術分野】
【０００１】
本発明は、送信機出力回路とアンテナの整合時間を短縮するためのアンテナ同調方法に関する。
【背景技術】
【０００２】
図２は船舶用MF/HF無線装置等で従来行われている送信機出力回路とアンテナを整合するための従来技術のアンテナ同調回路を示す。船舶用MF/HF無線装置では船舶の構造上、アンテナ３は8〜10m程度のホイップアンテナか逆Ｌ型のワイヤーアンテナを使用しており、そのインピーダンスは送信機１の出力インピーダンスである50Ωとは大きくかけ離れている。
【０００３】
そのため、送信機１とアンテナ３間に整合器２を挿入し、インピーダンスマッチングを行っている。MF/HF無線装置ではその使用周波数範囲が1.6M〜30MHzと非常に広く、アンテナ３も様々なものがあるため、整合器２内では、コンデンサ１２、１４とコイル１３で構成されるマッチング素子を多段的に切り替えることによって各周波数におけるアンテナ２のインピーダンスに対応している。
【０００４】
整合を行うときは、10W〜20Wの送信周波数で送信し、整合センサ７からの信号を見ながらコンデンサ１２、１４とコイル１３を切り替えることによって、最適なコイル１３とコンデンサ１２、１４の組み合わせ探して設定する。
【０００５】
また、整合完了後は、次回の整合動作が不要となるように周波数毎にマッチング素子の組み合わせを整合データとしてメモリ１１上に保存している。
【先行技術文献】
【特許文献】
【０００６】
【特許文献１】特開平１−１１５２２５
【発明の概要】
【発明が解決しようとする課題】
【０００７】
上記のような従来例にあっては、過去に整合済みの周波数はメモリ１１を読み出すことにより1秒以下で整合が可能であるが、未整合の周波数に関しては、コイル１３とコンデンサ１２、１４の膨大な組み合わせの中から最適値を探すのに数秒〜十数秒の時間がかかってしまうと言う課題がある。
【課題を解決するための手段】
【０００８】
送信機出力回路とアンテナを整合する整合器において、前記整合器の整合状態を監視する整合センサを有し、整合するためのコンデンサおよびコイルを有し、前記コンデンサおよび前記コイルをＯＮ、ＯＦＦするＣＰＵを有し、前記コンデンサおよび前記コイルを前記ＣＰＵでＯＮ、ＯＦＦして整合した状態を記憶するメモリを有し、前記送信機出力回路と前記アンテナの整合を行う周波数の前後で最も近い周波数の整合データをメモリから読み出して、前記整合周波数の前後2点のアンテナインピーダンスを求め、前記前後2点の周波数インピーダンスから前記整合する周波数のアンテナインピーダンスを推測して前記コンデンサおよび前記コイルの組み合わせの最適値を求め、求めた最適値に前記コンデンサおよび前記コイルを前記ＣＰＵで設定後前記整合センサの値を見ながら微調整することを特徴とする。
【発明の効果】
【０００９】
本発明によれば、整合の行う周波数の前後で最も近い周波数の整合データをメモリから読み出し、この前後2点のデータから整合を行う周波数のインピーダンスを推測してコンデンサおよびコイルの組み合わせによる最適値を求め、求めた最適値にコンデンサおよびコイルをＣＰＵで設定後、整合センサを見ながら微調整するので、整合動作は微調整のみとなるので整合時間が短縮される。
【図面の簡単な説明】
【００１０】
【図１】本発明の実施例
【図２】従来の技術
【発明を実施するための形態】
【実施例】
【００１１】
本発明の実施例を図１と図２で説明する。本発明による送信機１とアンテナ３の整合は以下の手順で行う。整合を行う周波数の前後で最も近い周波数の整合データをメモリ１１から読み出し、前後2点の周波数のアンテナインピーダンスを求める。前後2点の周波数のアンテナインピーダンスから、求める周波数のアンテナインピーダンスを推測してコンデンサ１２、１４とコイル１３の組み合わせの最適値を求める。
【００１２】
求めた最適値にコンデンサ１２、１４とコイル１３をＣＰＵ１０で設定後、整合センサ７の値を見ながら微調整する。以上の様に整合動作が微調整のみとなるので整合時間の短縮ができる。
【００１３】
図１は10ｍホイップアンテナインピーダンスのグラフである。横軸は周波数を示し、縦軸の左軸はリアクタンス値、右軸は抵抗値を示す。
【００１４】
本発明の具体的な整合方法を図１で説明する。例えば、3MHzの整合を実行するとき、リアクタンスについてはA１点（2MHz）とB１点（4MHz）の整合データがあるなら、2つの周波数のデータからC１点のリアクタンスを推測することができる。
【００１５】
同様に抵抗値についてはA２点（2MHz）とB２点（4MHz）の整合データがあるなら、2つの周波数のデータからC２点の抵抗値を推測することができる。このように推測してＣＰＵでコンデンサ１２、１４とコイル１３をＣＰＵ１０で設定後、整合センサ７を見ながら微調整する。従って整合動作は微調整のみとなるので整合時間の短縮が図られる。
【００１６】
なお、アンテナのインピーダンスはアンテナの種類や装備状態によって大きく異なるが、インピーダンスの変化には傾向があるため、2点が分かればある程度の推測が可能となる。
【符号の説明】
【００１７】
１  送信機  
２  整合器
３  アンテナ
４  ＰＡ（ＰＯＷＥＲ  ＡＭＰ）
５  ＣＰＵ
６  ユニット間制御信号
７  整合センサ
８  整合センサ出力信号
９  各コイル・コンデンサのＯＮ／ＯＦＦ信号
１０  ＣＰＵ
１１  メモリ
１２  コンデンサ
１３  コイル
１４  コンデンサ
【図１】
2012039310.tif 000003
【図２】
2012039310.tif 000004
(57)【要約】【課題】ゲイン調整がいらない高品質なハンズフリー機能を実現するハンズフリー中継装置を提供する。【解決手段】外部の携帯電話から与えられた音声信号にコーデック処理を施すコーデック部１２と、コーデック部からのコーデック処理された音声信号を増幅して出力する増幅部１３と、増幅部から出力された増幅信号のゲインをモニターし、予め与えられた基準ゲインと比較して、増幅または減衰が必要であればコーデック部において音声信号を調整する制御部１１をもつハンズフリー中継装置。【選択図】図１
2012039192.tif 000002
【特許請求の範囲】
【請求項１】
外部の携帯電話から与えられた音声信号にコーデック処理を施すコーデック部と、
前記コーデック部からのコーデック処理された音声信号を増幅して出力する増幅部と、
前記増幅部から出力された増幅信号のゲインをモニターし、予め与えられた基準ゲインと比較して、増幅または減衰が必要であれば前記コーデック部において前記音声信号を調整する制御部と、を具備することを特徴とするハンズフリー中継装置。
【発明の詳細な説明】
【技術分野】
【０００１】
この発明に係る実施形態は、ハンズフリー中継装置に関し、特に、音声ゲインを安定させることができるハンズフリー中継装置に関する。
【背景技術】
【０００２】
従来、携帯電話を使用時に、両手が使えない場合、音声をスピーカ等で出力するハンズフリー装置が知られている。これは、通話の音声がスピーカ等で聞こえるため、携帯電話を手で持つ必要がなくなるので、ユーザは、通話をしながら他の作業に没頭することもできる。
【先行技術文献】
【特許文献】
【０００３】
【特許文献１】特開平１１−２８９３７８号公報
【発明の概要】
【発明が解決しようとする課題】
【０００４】
しかしながら、特に、携帯電話を自動車内においてハンズフリーで使用しようとする場合、専用のハンズフリー装置を用意するよりも、その自動車に備え付けられたカーナビ装置等のアンプ機能を利用してハンズフリー機能を実現するほうが、コスト的にも性能的にも目的にあった方法であると言える。ところが、実際に携帯電話をカーナビ装置等に接続してみると、音声ゲインが不足だったり、音声ゲインが大きすぎて音声が割れたり等の不具合が生じやすく、ユーザは、そのつど音量等を調節したり接続を工夫したりするというわずらわしさがある。また、携帯電話やカーナビ装置の膨大な機種ごとに、適切な調整量をメモリに設定しておくことは、非常に煩雑となる。
【０００５】
本発明は、ゲイン調整が不要となる高品質なハンズフリー機能を実現するハンズフリー中継装置を提供することを目的とする。
【課題を解決するための手段】
【０００６】
課題を解決するための実施形態は、
外部の携帯電話から与えられた音声信号にコーデック処理を施すコーデック部（１２）と、
前記コーデック部からのコーデック処理された音声信号を増幅して出力する増幅部（１３）と、
前記増幅部から出力された増幅信号のゲインをモニターし、予め与えられた基準ゲインと比較して、増幅または減衰が必要であれば前記コーデック部において前記音声信号を調整する制御部（１１）と、を具備することを特徴とするハンズフリー中継装置である。
【発明の効果】
【０００７】
すなわちこの発明によれば、ハンズフリー中継装置の働きにより音声信号のゲインを適正な値に自動調整することで、携帯電話およびカーナビ装置の機種にかかわらず、安定した音声品質により、ハンズフリーを実現することができる。
【図面の簡単な説明】
【０００８】
【図１】本発明の一実施形態であるハンズフリー中継装置の構成を示すブロック図。
【図２】同じくハンズフリー中継装置の音量調整処理の一例を示すフローチャート。
【発明を実施するための形態】
【０００９】
以下、図面を参照してこの発明に係わる実施形態を説明する。  
本発明の一実施形態であるハンズフリー中継装置１は、図１に示すように、外部の携帯電話Ｔから音声信号を受けてコーデック処理を施すオーディオコーデック１２と、オーディオコーデック１２からの音声信号を所定の増幅率で増幅するオーディオアンプ１３と、オーディオアンプ１３からの増幅信号のゲインをモニターするオーディオゲインモニター１４と、オーディオゲインモニター１４からの音声信号を受けて予め与えられた基準値であるゲイン値と比較して、比較結果に基いて音声信号を制御する制御部１１を有している。
【００１０】
このような構成をもつハンズフリー中継装置１は、図２に示すフローチャートに従って、音量調整処理を行う。すなわち、ハンズフリー中継装置１は、外部に設けられた携帯電話Ｔからの音声信号をオーディオコーデック１２で受け、この音声信号にコーデック処理を施してオーディオアンプ１３に供給する。オーディオアンプ１３では、コーデック処理された音声信号を一定の増幅率で増幅して、音声信号を外部端子に出力すると共に、オーディオゲインモニター１４に出力する。外部端子は、例えば、カーナビゲーション装置Ｎに接続されているが、カーナビゲーション装置に限定されるものではなく、例えば、カーオーディオ装置であってもよく他の音声装置であってもかまわない。
【００１１】
オーディオゲインモニター１４では、オーディオアンプ１３の音声信号をモニターして、制御部１１に供給する。制御部１１における判断部１１−１は、音声信号を一定時間モニターした結果の最大値を検出する（ステップＳ１１）。判断部１１−１は、この最大値を予め与えられた基準値、たとえば、ｘｄＢ〜ｙｄＢと比較して（ステップＳ１２）、この範囲であれば、特にゲイン制御処理は行わない。判断部１１−１は、モニターした結果の最大値がこの基準値よりも大きいまたは小さい場合、オーディオコーデック１２をコーデックドライバ１１−２により、オーディオコーデック１２を制御して、音声信号のゲインを適正な値に制御するものである（ステップＳ１３）。
【００１２】
これにより、携帯電話Ｔやカーナビゲーション装置Ｎのメーカ名や機種名にかかわらず、携帯電話Ｔからの音声信号のゲインが自動的に適正な値となるので、カーナビゲーション装置Ｎから出力される音声信号が小さすぎたり、音割れする等の不具合もなく、高品質な音声により、ハンズフリー機能を実現することができる。
【００１３】
なお、この発明は上記実施形態に限定されるものではない。例えば、制御部１１による音声信号の評価は、音声信号の一定時間の最大値により行っているが、一定時間の音声の平均値に基いて行っても、また、他の基準値により行っても、同等の効果を生じるものである。
【００１４】
その他、等についても、この発明の要旨を逸脱しない範囲で種々変形して実施可能である。
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００１５】
Ｔ‥携帯電話、１１‥制御部、１２‥オーディオコーデック、１３‥オーディオアンプ、１４‥オーディオゲインモニター、Ｎ‥カーナビゲーション装置。
【図１】
2012039192.tif 000003
【図２】
2012039192.tif 000004
(57)【要約】      （修正有）【課題】化学物質による薬品を全く使用しないで、長期に渡って害虫防除の効力が維持される防除器の提供。【解決手段】毛虫の習性を利用することによって、樹木の幹を防除器１の固定部分３を固定し、毛虫が樹木に這い上がるのを防止し、果樹の初期の果実や新芽、葉の害虫による被害を防ぐ。【選択図】図１
2012039956.tif 000002
【特許請求の範囲】
【請求項１】
従来のように、化学物質による薬品を全く使用しないで、毛虫の習性を利用し毛虫や害虫が果樹の樹木などに這い上がるのを防除し、果樹の初期の果実や新芽、葉を害虫による被害から守る防除器。
毛虫や害虫の目から害虫が好む果樹の初期の果実、新芽や葉を隠す、例えば完全に隠すファイアーウォールで遮る発想を踏まえ考案した防除器、遮る黒色の材料の使用と形状。
円筒外側と樹木との間隔は毛虫の大型毛虫の約体長の長さ。
【発明の詳細な説明】
【技術分野】
【０００１】
本発明は、特に果樹に這い上がる毛虫などの害虫を、薬品を使用する事なく防除する害虫防除器に関するものである。
【背景技術】
【０００２】
一般的に、果物などを食する毛虫などの害虫に対しては、農薬などを散布して駆除する手段が取られている。
【０００３】
しかし、農薬は、散布した直後から一定の期間に渡って駆除効果ありますが、降雨によって薬剤が流失してしまうと駆除の効果がなくなってしまいます。  従って、果物などは収穫するまでの間に複数回の農薬散布が必要であり、農薬等は人間にとっても有害であるので散布に従事する作業者は、防護服などを着用して作業を行う必要が有ります
【先行技術文献】
【特許文献】
【０００４】
【特許文献１】特開２００１−２２４２９５（Ｐ２００１−２２４２９５Ａ）
【０００５】
【特許文献２】特開２００６−２６２７７４（２００６/１０/０５）
【０００６】
従来技術としては類似のものとして樹木に巻きつけて害虫を捕獲する害虫捕獲ベルト、樹木用の害虫捕獲帯があります。しかし、本発明のような毛虫の習性を発見し、それを活用した特許文献はありません。
【発明の概要】
【０００７】
従来のように、化学物質による薬品を全く使用しないで、長期に渡って害虫防除の効力が維持される防除器を提供することである。
【発明が解決しようとする課題】
【０００８】
本発明は、従来の方法とは全く異なった方法によるもので殺虫、捕獲ではありません、特に毛虫の習性を研究し、その習性を利用し毛虫が果樹の樹木などに這い上がるのを防除し、さらにはその樹木には這い上がるのを抑制し、果樹の初期の果実や新芽、葉の害虫による被害を防ぐ防除器です。
【課題を解決するための手段】
【０００９】
方法として第一に毛虫や害虫の目から害虫が好む果樹の初期の果実、新芽や葉を隠す、例えば完全に隠すファイアーウォールで遮るなら毛虫も這い上がること無く完全に防除が可能です、この発想を踏まえ考案した。
【００１０】
まず、遮る材料の色の決定、先の見えない黒が最適、また構造が簡単で大きさも必要最小で設置が簡単であること。
【発明の効果】
【００１１】
薬剤散布と違い、環境にやさしく、樹木に何ら害を与えません、長期に渡って使用できてしかも装置も簡単で費用の軽減となります。
効果として、毛虫だけでなく、ダンゴムシや他の害虫、アリも樹木からの樹液を出す害虫がいないので姿がなくなりました、現在、試作器を25個作り、いちじく、柿、ぐみ、梨、枇杷の樹木に取り付け、毛虫の習性や行動の結果を見てきました、毎年のように害虫被害からは開放され、果実や葉は順調に成長をしています、このような簡単な防除器で思った以上の効果があったことを嬉しく思っています。
【発明を実施するための形態】
【００１２】
本器はプラスチック系の比較的薄い素材で作られた円筒形をし、果樹等の樹木に巻き付けて設置します、この防除器で最も重要な寸法は、円筒外側と樹木との間隔と円筒の高さです。
【００１３】
毛虫の研究から新しい発見として、地面から樹木に這い上がった毛虫の大半は円筒の下端で、あるいは多少中に入ったとしても特有の動き、全身を最大に伸ばし、円を描き動きながら這い上がれるかどうかを距離測定し不可能なら先に上れない事を判断して動きを停止し、Uターンして帰るものや、また、場所を変え再挑戦し、上れないならUターンして帰ります、もし、円筒に小さな穴があり其処から光が見えれば毛虫は円筒を這い上がり、樹木の上に上ってしまいます。
【００１４】
円筒外側と樹木との間隔は毛虫の約体長の長さとなります、例、日本中どこにでもいる大型毛虫（クワゴマダ  ラヒトリ）は体長約50mm、成虫：開張37〜64mmあります、なお、円筒の高さは10cmあれば充分効果があります。
【００１５】
また、すでに樹木に登った毛虫を無理に樹木から振り落とした毛虫は上れる事を記憶しているのか無理にでもこの防除器を乗り越える毛虫もあるのは事実です。
【００１６】
果樹の初期の果実、新芽や葉を食べてしまう毛虫は大抵付近の雑草の中でさなぎとして越年し春先に毛虫として移動し、樹木に這い上がりますが、形も大型で薬剤でも防止は大変でしかも食欲旺盛ですので被害が大きくなります。
【００１７】
効果を最大に発揮するには、春先の果実の新芽が出始めるときに本器を設置することで害虫から見かけ上、隠す事が出来て、這い上がるのを防除でき被害を未然に防ぐ事が出来る、しかし、毛虫が出始めてからでも効果はあります。
【００１８】
今後、この防除器の発想から地面に敷設することで野菜などの毛虫などの防除に活用できるかもしれません。
【図面の簡単な説明】
【００１９】
【図１】プラスチック系の比較的薄い素材で作られた円筒形をした、害虫防除器を示した平面図である。
【図２】果樹等の樹木に巻き付けて設置します、害虫防除器を樹木に取り付けた平面図である。
【符号の説明】
【００２０】
１害虫防除器  黒色の薄い合成樹脂の円筒で作られている。
２円筒外側と樹木との間隔、害虫の約体長の寸法で作られている。
３樹木に巻かれ固定部分、バンドで留めやすいよう上部をやや広げている。
４円筒部の長さ。
５両面接着テープでの接着部分、スライドし樹木サイズに合わせるための調整部分、多少のフリーサイズとなる、なお、樹木に太さに対応させるため数種類のサイズを作っておけば良いでしょう。
【図１】
2012039956.tif 000003
【図２】
2012039956.tif 000004
(57)【要約】【課題】従来のテンヤ（カブラ）は図４のような形状で餌が曲ってついていたり釣の最中にシャクリ上げた時に餌がずれたりした時に海中の中でグルグル回転したりしてしまうという問題があった。そういう状態では魚は餌を喰べないので、餌が自然の状態で海中で漂うようにする必要がある。【解決手段】テンヤについてる錘を図１のようにすることにより餌が曲ったりずれたりしてもグルグル回転することが防げる。また餌が潮の流れに平行であり流れの速さによって上方向にフケ上ったりゆっくり落下したりして餌が自然に海中のなかで漂うようになり魚は餌に対して違和感を感じないで喰べる。【選択図】図１
2012039995.tif 000002
【特許請求の範囲】
【請求項１】
頂部が尖って側面が平面のプリズム形状の錘の頂部に穿った孔に釣針を通して取り付け、且つプリズム形状の錘の底部から平板を延設してその先端部を上方もしくは下方に湾曲させてなることを特長とする錘付き釣針
【発明の詳細な説明】
【技術分野】
【０００１】  本発明は錘の形状により餌が回転しにくく潮の流れに同調、安定する。
【発明の概要】
【発明が解決しようとする課題】
【０００２】  従来のテンヤ（カブラ）は図４のようになっており釣針に餌（エビ類）が真っ直ぐに付いていなかったり、シャクリ上げた時に、海水の抵抗で餌がずれてしまうと潮の流れにより餌がグルグルと回転してしまう。
【課題を解決するための手段】
【０００３】  本発明はこのようなことを防ぐため錘の形状を図１、のようにし、図１の４の部分が船の舵のように平面になっているので餌がずれて、曲っても海水の抵抗で回転しない。また、図１、の２の部分が少し尖ってるため落下速度が速く１の部分も尖っているため常に潮の流れに平行であり、図１、図２の３の部分のようにスキーの板の先のように上方向に曲げると餌は上方に、下方向に曲げると下方に流れ常に自然の状態に餌が動き、図３のように角度をつけると魚を喰べやすくなる。
【発明の効果】
【０００４】  上述したように本発明品を使用すれば餌がずれても曲っても回転することがなく潮の流れあるいは船の推進力により餌が上下運動をしたり常に自然に漂ようので魚も餌を喰べやすい。
【図面の簡単な説明】
【０００５】
【図１】  本発明品の立体図
【図２】  本発明品の錘底部の平板先端部を下方に湾曲させた図
【図３】  本発明品に角度をつけた図
【図４】  従来のテンヤ（カブラ）の種類
【符号の説明】
【０００６】１  錘の先端部（尖っている）
２  錘の下部（少し尖っている）
３  錘底部の平板の先端部
４  錘の側面（平面になっている）
【図１】
2012039995.tif 000003
【図２】
2012039995.tif 000004
【図３】
2012039995.tif 000005
【図４】
2012039995.tif 000006
(57)【要約】【課題】  インスタントカップラーメンの底の部分にせんべいを入れ、お湯を注ぐとカップラーメンとせんべいが次第に柔らかくなり、両方が混ざった香りが食慾をそそり、食べることで満喫し、一味違った満腹感を味わえることを提供する。【解決手段】  インスタントカップラーメン（２）の底の部分にせんべい（３）を入れたせんべい入りカップラーメンを特徴とする。【選択図】図１
2012039993.tif 000002
【特許請求の範囲】
【請求項１】
インスタントカップラーメン（２）の底の部分にせんべい（３）を入れたせんべい入りカップラーメン。
【発明の詳細な説明】
【技術分野】
【０００１】    この発明は、インスタントカップラーメンの底の部分にせんべいを入れたせんべい入りカップラーメンに関するものである。
【背景技術】
【０００２】    従来、インスタントカップラーメンは具のほかに、フリーズドライライスなどを入れたものしかなかった。
【先行技術文献】
【特許文献】
【０００３】
【特許文献１】  特許公開平９−２３８６３４号公報
【発明の概要】
【発明が解決しようとする課題】
【０００４】  これは、次のような物足りなさがあった。
従来、インスタントカップラーメンは具が入っているので、お湯を注げば数分で出来上がり、誰でも簡単に食べることができた。そして、たいていは最後にお汁を飲むか、または残して終わるのが普通であった。しかし、これでは何か一味物足りなさがあった。本発明は、以上のような物足りなさをなくすためになされたものである。
【課題を解決するための手段】
【０００５】  インスタントカップラーメン（２）の底の部分にせんべい（３）を入れる。
本発明は、以上の構成よりなるせんべい入りカップラーメンである。
【発明の効果】
【０００６】  せんべい入りカップラーメンにお湯を注ぐと、カップラーメンもせんべいも次第に柔らかくなり、カップラーメンとせんべいの混ざった香りが食欲をそそる。そして、カップラーメンとせんべいを食べることで満喫し、一味違った満腹感が味わえる。
【図面の簡単な説明】
【０００７】
【図１】本発明の断面図である。
【発明を実施するための形態】
【０００８】  以下、本発明を実施するための形態について説明する。
せんべい入りカップラーメンは、インスタントカップラーメンの底の部分にせんべいを入れたものである。
本発明は、以上のような構造である。
これを使用するときは、せんべい入りカップラーメンに熱いお湯を注ぎ、３分位の間をおいて、食べればよい。
【符号の説明】
【０００９】  １  カップ
２  インスタントカップラーメン
３  せんべい
【図１】
2012039993.tif 000003
(57)【要約】【課題】夏に、涼しそうに見えるし、おいしそうに感じ、みんなでわいわい言いながら食べられるお菓子を提供する。【解決手段】  おわんのようなお皿１に水を入れ、それを冷凍庫に入れて凍らせる。少し凍ったときに冷凍庫から取り出すと、お皿１の周辺にうっすらと氷がはる。この氷をお皿１から取り出すと、氷のドーム２ができ上がる。  このようにしてでき上がった氷のドーム２を、ゼリー３を入れたお皿１に逆さにしてかぶせると、氷のドーム２でおおったお菓子ができ上がる。【選択図】図１
2012039988.tif 000002
【特許請求の範囲】
【請求項１】
お皿にゼリーなどをのせ、それを氷のドームでおおったお菓子。
【発明の詳細な説明】
【技術分野】
【０００１】  この発明は、ゼリーなどを氷のドームにつつんだお菓子である。
【背景技術】
【０００２】  夏に食べるふつうのお菓子は、それを凍らせておくか、冷やして食べるものばかりである。
【先行技術文献】
特に調査をしていない。
【０００３】
【発明の概要】
【発明が解決しようとする課題】
【０００４】  特に、夏に食べるお菓子は、見た目も涼しそうで、食べるときに楽しくなければいけない。しかし、今までのお菓子は、ただ冷たいというだけで、あまり涼しそうでもないし、食べるときに楽しめるというものがなかった。
この発明の目的は、見た目が涼しそうで、しかも、食べるときも楽しめる氷ドームでおおったお菓子を提供することである。
【課題を解決するための手段】
【０００５】  この発明は、お皿にゼリーなどをのせ、それを氷のドームでおおったお菓子である。
【発明の効果】
【０００６】  お皿の上のゼリーなどを氷のドームでおおっているので、氷の外からなかのゼリーが見えるし、氷を通して見るので、つめたそうに見えて、夏のお菓子として最高である。
また、食べるときには、氷のドームを割るので、そのときのスリルが最高で、みんなとわいわい言いながら楽しむことができる。
【図面の簡単な説明】
【０００７】
【図１】  実施形態を示す正面図である。
【発明を実施するための形態】
【０００８】  おわんのようなお皿１に水を入れ、それを冷凍庫に入れて凍らせる。少し凍ったときに冷凍庫から取り出すと、お皿１の周辺にうっすらと氷がはる。この氷をお皿１から取り出すと、氷のドーム２ができ上がる。
このようにしてでき上がった氷のドーム２を、ゼリー３を入れたお皿１に逆さにしてかぶせると、氷のドーム２でおおったお菓子ができ上がる。
【０００９】  このようにしてできたお菓子は、氷を通してなかのゼリー３を見ることができるので、夏などは涼しそうに見えるし、おいしそうに感じる。
そして、なかのゼリー３を食べるときには、氷のドーム２を割るが、このときには、みんなとわいわい言いながら、氷を割るスリルを味わうことができる。
【００１０】  ここまでに説明したものは、透明な氷のドーム２にしたが、色がついたジュースなどで氷のドーム２を作れば、なかが見えないので、氷のドーム２を割るまでに、何が入っているのかを分からなくすることができる。
このときには、なかにどんなお菓子が入っているか分からないので、氷のドーム２を割る楽しみがさらに大きくなる。
【００１１】  また、氷のドーム２に入れるものは、ゼリーだけでなく、例えばかき氷などでもよい。
【００１２】  以上説明した氷のドームでおおわれたお菓子は、簡単に作れるので、だれもが手軽に楽しむことができる。
【産業上の利用可能性】
【００１３】  たくさんの人とわいわい言いながら楽しむお菓子として最適である。
【符号の説明】
【００１４】  １      お皿
２      氷のドーム
３      ゼリー
【図１】
2012039988.tif 000003
(57)【要約】      （修正有）【課題】秋から春にかけ猿、鹿、イノシシの食害で日本全国、何千万何億と毎年被害にあっている。よって、その対策を提供する。【解決手段】虎、ライオン等の排泄物アから匂い物質を衣、板等に付け、各所に板切れエをおいておく。または木々に匂いの付いた衣切れウを結び付けておく。そして威嚇音をスピーカーで流す事で猿、鹿、イノシシ等が出てこなくなる。【選択図】図１
2012039984.tif 000002
【特許請求の範囲】
【請求項１】
野獣・虎・ライオンの排泄物と体臭の付いた物、または付けた物である
【請求項２】
排泄物またはオシッコを科学的に造ったものである。
【請求項３】
威嚇音をスピーカーで流す。
【発明の詳細な説明】
【技術分野】
【０００１】  害獣被害をなくし獣と人間が住み分けができるよう考案した画期的な物である。
【背景技術】
【０００２】  害獣による農作物の被害が地方において深刻であるが、その問題を解決できる技術である。
【発明の開示】
【発明が解決しようとする課題】
【０００３】  秋から冬、春と特に獣による食害が多く地方によって獣が異なるため獣によって対処するのである。
【課題を解決するための手段】
【０００４】  虎、ライオン等の糞尿を付けた物を食害にあわぬように、各所においておく物である。
【発明の効果】
【０００５】  虎、ライオン等の排泄物の糞尿は、肉食獣であるため鹿、イノシシ、猿等は本能で危険だと思い、出てこなくなり効果絶大である。
【発明を実施するための最良の形態】
【０００６】  食害をなくすため、各都道府県、農協などに虎、ライオンの糞尿を付けた衣や板切れ等を配布するのである。
【実施例】
【０００７】  鹿、猿、イノシシから食害を防ぐ事が実功に出てこなかったのでありそれと共に虎の威嚇音を流す事で効果絶大である。
【産業上の利用可能性】
【０００８】  鹿、猿、イノシシから食害をなくす事は経済を守り、動物との住み分けもできる一石二鳥で利用可能大である。
【図面の簡単な説明】
【０００９】図１
図面の名称
（ア）虎、ライオンの排泄物
（イ）糞尿
（ウ）衣切れ
（エ）板切れ
【図１】
2012039984.tif 000003
【手続補正書】
【提出日】平成23年3月15日(2011.3.15)
【手続補正１】
【補正対象書類名】明細書
【補正対象項目名】０００９
【補正方法】変更
【補正の内容】
【０００９】
【図１】虎、ライオンの排泄物の尿や糞の臭いを付着させた物の全体図  図面の名称  （ア）虎、ライオンの排泄物  （イ）糞尿  （ウ）虎、ライオンの排泄物の臭いを染み込ませた布切れ  （エ）虎、ライオンの排泄物の臭いを染み込ませた板切れ
(57)【要約】      （修正有）【課題】窒素氷できのこ類の採取後の保存性を維持する方法及びきのこ類の変質防止を提供する。【解決手段】しいたけ、まいたけ、たもぎたけ、まつたけなどのきのこ類を窒素遮断性の良い塩化ビニリデン樹脂、ピロール樹脂などで成形した容器、袋に収容し、その容器、袋に窒素放散性の良いポリオレフインの容器、袋に封入した窒素氷を同封して、拡散する窒素の作用で品質保持を行う。【選択図】なし【特許請求の範囲】
【請求項１】
しいたけ、まいたけ、たもぎたけ、まつたけなどきのこ類を窒素遮断性のよい塩化ビニリデン樹脂、ピロール樹脂などで成形した容器、袋に収容し、この容器、袋に窒素放散性の良いポリオレフインで構成する容器、袋に窒素氷を同封したきのこ類の保存方法。
【発明の詳細な説明】
【技術分類】
【０００１】国際特許分類Ａ０１Ｆ  農業または園芸生産物の貯蔵
【背景技術】
【０００２】しいたけ、まいたけ、たもぎたけ、まつたけなどのきのこ類は採取後の品質変化が早く、市場価値が減退するので、その対策が求められていた
【先行技術文献】
【０００３】
【特許文献１】特開２００７−２２５１２７
【発明の概要】
【発明が解決しようとする課題】
【０００４】しいたけ、まいたけ、たもぎたけ、まつたけなどきのこ類の品質の保存。
【課題を解決するあめの手段】
【０００５】きのこ類を窒素を放散しにくい容器、袋に収容し、その容器、袋内に窒素氷を窒素を透過するポリオレフイン樹脂の容器、袋に収容して、きのこ類の変質を防止する。
【発明の効果】
【０００６】窒素氷の品質保持効果は、その冷却効果とともに放散する窒素がきのこ類の生理活動を抑制して、その品質保持効果は大きい。
【発明を実施するための形態】
【０００７】しいたけ、まいたけ、たもぎたけ、まつたけなどきのこ類を採取後、洗浄など処理後、窒素遮断性の良い塩化ビニリデン樹脂、ピロール樹脂など、また、アルミニウムラミネート加工の容器、袋に収容する。
【０００８】別に、窒素を放散しやすいポリオレフイン樹脂などの容器、袋に窒素を含む窒素氷を封入する。この容器、袋の寸法は前述のきのこ類を収容する容器、袋に収容しうる大きさとする。
【０００９】この窒素氷を封入した容器、袋を、きのこ類を収容した容器、袋内に、きのこ類と同封、収容して密栓、密封する。
【００１０】窒素氷を封入した容器、袋は窒素を放散しやすく、きのこ類を収容した容器、袋は窒素を放酸しにくい構成が本発明の基本である。
【産業上の利用可能性】
【００１１】窒素氷より放散する窒素の作用により採取後のきのこ類の生理活性が抑制され、市場に出荷されたきのこ類の保存性は改善され、経済効果も大きい。
(57)【要約】      （修正有）【課題】一般の自転車では、手加減により前輪、後輪のブレーキ力を調整して車体の安定性を保っているが、前輪のみブレーキをかけた時や急ブレーキ時は、どうしても前輪のブレーキがきき過ぎることから車体がぶれる。その危険な状況に陥ることを抑制する構造を提供する。【解決手段】ブレーキワイヤ同士を金具でかみ合わせることにより、後輪ブレーキレバー３の操作では後輪ブレーキのみ動作し、前輪ブレーキレバー２の操作では、前輪ブレーキワイヤの動きに後輪ブレーキワイヤを連動させ、ワイヤの引っ張りを後輪ブレーキが前輪ブレーキより早めに効くように調整した状態で、後輪ブレーキを前輪ブレーキに対して優先的に効かせることができることから車体のぶれを抑えることにより、危険な状況に陥ることを抑制できる。【選択図】図１
2012091760.tif 000002
【特許請求の範囲】
【請求項１】
自転車の前輪、後輪のブレーキワイヤが交差する部分に取り付け、両方のブレーキワイヤ同士を金具でかみ合わせることにより、後輪ブレーキレバーの操作では後輪ブレーキのみ動作し、前輪ブレーキレバーの操作では、前輪ブレーキワイヤの動きに後輪ブレーキワイヤを連動させ、ブレーキワイヤの引っ張りを後輪ブレーキが前輪ブレーキより早めに効くように調整した状態で、後輪ブレーキが前輪ブレーキに対して優先的に効くようにした自転車ブレーキ制御装置。
【発明の詳細な説明】
【技術分野】
【０００１】  本発明は、自転車の急ブレーキ時、車体の安定性を低コストで高める装置に関するものである。
【背景技術】
【０００２】  従来、二輪車の急ブレーキ時の安定性を保つシステムとしては、特開平４−１４３１５４や特開平７−８１６４５にあるように、自動二輪車及び原動機付き自転車の油圧式ブレーキを対象として、後輪を優先的に制動する方式が提案されている。【０００３】  この方式では、前輪ブレーキレバー操作のブレーキ系統と後輪ブレーキレバー操作のブレーキ系統は独立しており、前輪ブレーキレバーを引いたとき前輪と後輪のブレーキの油圧をコントロールすることにより、後輪優先のブレーキを実現している。後輪ブレーキレバーを引いたときは、独立したブレーキで後輪のみかかる仕組みである。【０００４】  本発明のような前輪、後輪のブレーキワイヤを直接連動させることにより、後輪を優先的に制動する方式の装置はなかった。
【先行技術文献】
【特許文献】
【０００５】
【特許文献１】  特開平４−１４３１５４号公報
【０００６】
【特許文献２】  特開平７−８１６４５号公報
【発明の概要】
【発明が解決しようとする課題】
【０００７】  前述の油圧制御の方式のように、油圧方式を採用している自動二輪車や原動機付き自転車を対象とした後輪優先のブレーキ方式はあるが、一般の自転車を対象とした後輪優先のブレーキ装置はなかった。【０００８】  このため一般の自転車では、手加減により前輪、後輪のブレーキ力を調整して車体の安定性を保っているが、前輪のみブレーキをかけた時や急ブレーキ時は、どうしても前輪のブレーキがきき過ぎることから車体がぶれ、時として車体がひっくり返るなど危険な状況に陥ることにもなっていた。本発明は、この課題を解消するためになされたものである。
【課題を解決するための手段】
【０００９】  上記目的を達成するため、本発明の装置を自転車の前輪、後輪のブレーキワイヤが交差する部分に取り付け、ブレーキワイヤ同士を金具でかみ合わせることにより、後輪ブレーキレバーの操作では後輪ブレーキのみ動作し、前輪ブレーキレバーの操作では、前輪ブレーキワイヤの動きに後輪ブレーキワイヤを連動させ、ワイヤの引っ張りを後輪ブレーキが前輪ブレーキより早めに効くように調整した状態で、後輪ブレーキを前輪ブレーキに対して優先的に効かせることができることから車体のぶれを抑えることにより、危険な状況に陥ることを抑制できる。
【発明の効果】
【００１０】  本発明の装置を使用することにより、前輪ブレーキレバーのみを引いた時でも後輪のブレーキが優先的に効き始め、遅れて前輪のブレーキが効くことになり車体のぶれを抑えることができる。また、前輪ブレーキレバーのみを引くと、後輪のブレーキも操作するため、前輪のみのブレーキ時と比較してより力が必要であることから、ブレーキが重く感じられる。この力は、後輪ブレーキレバーを操作すれば軽くなるため、自然と後輪ブレーキレバーを始めに引く癖がつくことになり、結果として自転車の安全運転に寄与することとなる。
【発明の実施するための最良の形態】
【００１１】  以下、本発明の実施の形態を図１〜図２に基づいて説明する。
【００１２】  図１のように、制御装置を前輪ブレーキケーブルと後輪ブレーキケーブルが交差する位置に置き、装置内部の前輪ブレーキワイヤ６を鉄片８に、後輪ブレーキワイヤ７を鉄片９にネジ１０で止め、固定する。
【００１３】  抑えローラ１２は鉄片８の上下動を滑らかにするもので、案内ローラー１３は前輪、後輪のブレーキワイヤを滑らかに動かすものである。
弾性体１１は通常のブレーキの力に対して堅めに設定する。
また、前輪及び後輪ブレーキ本体のワイヤ留めを調整して前輪、後輪のブレーキハンドルを同じ長さ引いたとき、後輪からブレーキが聞き始めるように調整しておく。
【００１４】  前輪ブレーキレバーを２を引くと鉄片８が弾性体１１を介して鉄片９を上方向に押し上げ後輪のブレーキワイヤ７を引っ張ることになり、後輪がまずブレーキがかかり始め、さらにブレーキレバー２を引くと前輪のブレーキがかかり始める。
後輪のブレーキワイヤが最大に引かれた状態でも、前輪ブレーキレバーをさらに引くと弾性体１１が押しつぶされて、前輪ブレーキワイヤ６を確実に最後まで引くことができる。
【００１５】  後輪ブレーキレバーを引けばブレーキワイヤ７のみが引っ張り上げられ、後輪のブレーキのみ作動する。
【図面の簡単な説明】
【００１６】
【図１】  本発明のブレーキ制御装置の自転車への取付図
【図２】  本発明の実施例の内部外観図
【符号の説明】
【００１７】  １  ブレーキ制御装置本体
２  前輪ブレーキレバー
３  後輪ブレーキレバー
４  前輪ブレーキケーブル
５  後輪ブレーキケーブル
６  前輪ブレーキワイヤ
７  後輪ブレーキワイヤ
８  前輪鉄片
９  後輪鉄片
１０  ワイヤ取付ねじ
１１  弾性材
１２  抑えローラー
１３  案内ローラー
【図１】
2012091760.tif 000003
【図２】
2012091760.tif 000004
(57)【要約】【課題】車の誤動作をなくし、確実に車を止めたい時にはブレーキペタルだけを踏み、違えてもすぐに正しい動作が出来るようにした  確実なブレーキペタル、アクセルペタルの操作が出来るようにした車である。【解決手段】車の運転席の下部のブレーキペタル（１）の面積を大きくし、凹凸（３）し、ゴム（７）、又は合成樹脂（８）も凹凸（３）にしてある、いづれかを使用したブレーキペタル（１）と、アクセルペタル（４）の、面積は小さくしてありゴム（７）、又は合成樹脂（８）を有ししたいづれかのアクセルペタル（４）である。【選択図】図１
2012091765.tif 000002
【特許請求の範囲】
【請求項１】
面積の大きくしたブレーキペタル（１）は金属で、表面は溝（２）を設けてある。
【請求項２】
ブレーキペタル（１）の上部には、凹凸（３）を有したゴム（７）、又は合成樹脂（８）のいづれかを有したもの。
【請求項３】
ブレーキペタル（１）は全体の一部に、アクセルペタル（４）を有する。
【請求項４】
ブレーキペタル（１）も凹凸（３）で、孔（５）を有し、上部には凹凸（３）を有し、下部には凸起部（６）が復数設けて有り、ブレーキペタル（１）の孔（５）の中に凸起部（６）を有したゴム（７）、又は合成樹脂（８）のいづれかを有したブレーキペタル（１）である。
【請求項５】
ブレーキペタル（１）の上部に、オールゴル（９）、又は鈴（１０）のいづれかを有する。
【発明の詳細な説明】
【発明の詳細な説明】
【技術分野】
【０００１】この発明は、車のとしての役目を確実に、ブレーキペタルを踏みたい時に、確実にブレーキペタルを踏むようにする、又、アクセルペタルを踏みたい時には違いのないようにする為の車の誤動作をなくす為の発明である。
【背景技術】
【０００２】従来の車には、同じ大きさのブレーキペタル、アクセルペタルの為に、誤動作により、本年だけでも７千件の誤動作により、中には屋上から車がアクセルペタルとブレーキペタルを踏み違え落ち、運転者が亡くなると言う報道がありました。
又、突発の時など、一瞬の打ちに、ペタルを踏まなければならないので、考える時間がない為に誤動作が起きてしまう。
【発明が解決しようとする課題】
【０００３】これは次のような欠点がありました。
今までの車では、アクセルペタル、ブレーキペタルは同じ面積の為に、突発な出来ごとの時には、車を止めたい時に誤動作の為に、アクセルペタルを踏み違いてしまい事故となる。
又、は車を止めたい時にアクセルペタルから一瞬、足を離して間隔がわからなくなり、アクセルペタルを踏んでしまい車を打つけたり、屋上から車が落ちてしまい運転者が亡くなるという事故が報道されました。
アクセルペタルとブレーキペタルの表面は、まったく同じである為に、違いがわからなかった為に、突発な時には、ブレーキペタルを踏んだつもりが、アクセルペタルを踏んでしまい事故となる。
【課題を解決するための手段】
【０００４】金属でできているブレーキペタル（１）の、面積は大きく表面は復数に溝（２）を有し、アクセルペタル（４）は小さい面積にしてある。
ブレーキペタル（１）の上部には、凹凸（３）を有したゴム（７）、又、は合成樹脂（８）のいづれかを有したもの。
ブレーキペタル（１）は全体の一部に、アクセルペタル（４）を有する。
ブレーキペタル（１）も凹凸（３）で、孔（５）を有し、上部には凹凸（３）を有し、下部には凸起部（６）が復数設けて有り、ブレーキペタル（１）の孔（５）の中に凸起部（６）を有したゴム（７）、又は合成樹脂（８）のいづれかを有したブレーキペタル（１）である。
ブレーキペタル（１）の上部に、オールゴル（９）、又は鈴（１０）のいづれかを有する。
【発明を実施するための形態】
【０００５】以下、本発明の実施の形態についての説明する。
車の運転席の前面の下部のブレーキペタル（１）の面積を大きくした金属で、できている、アクセルペタル（４）の面積は小さくした車である、ブレーキペタル（１）の表面は、溝（２）が復数設けてあり。
ブレーキペタル（１）の上部は、凹凸（３）を有し大きい面積であるゴム（７）、合成樹脂（８）で、ブレーキペタル（１）も大きいので、包んであり、いづれかを有したブレーキペタルである。
ブレーキペタル（１）は全体が長く、その中にアクセルペタル（４）が、面積は小さく有するブレーキペタル（１）である。
ブレーキペタル（１）も凹凸（３）し、面積は大きく、孔（５）をし、上部には凹凸（３）を有し、下部には凸起部（６）が復数設けて有り、ブレーキペタル（１）の孔（５）の中に凸起部（６）を有し、ゴム（７）、又、は合成樹脂（８）のいづれかを有したブレーキペタル（１）のゴム（７）、又は合成樹脂（８）のいづれかを有した、ブレーキペタル（１）である。
ブレーキペタル（１）の上部に、オールゴル（９）、又は鈴（１０）のいづれかを有する。
ブレーキペタルの上部には、音が出ような物が設けた物で電気を使用した物が音が出る。
【発明の効果】
【０００６】ブレーキペタルの面積を大きくし、アクセルペタルの面積は小さくして有り、その為に違えにくくなり、しかもブレーキペタルは凹凸にしてあり、アクセルペタルは溝を切ってあるだけなので、足の裏でブレーキペタルか、アクセルペタルかがすぐに触れるだけで分かるので違えにくく、又違えてもすぐに正しい方に踏み直す事ができる、ブレーキペタル、アクセルペタルである。
しかもブレーキペタルには音がでるので、分かりやすく電気でも音がでるようにしてあり、誤動作の少ない車である。
【図面の簡単な説明】
【図１】ブレーキペタルは表面を凹凸にした斜面側面図。
【図２】ブレーキペタルとアクセルペタルの面積の大きさを比較した正面図。
【図３】ブレーキペタル全体の中にアクセルペタルの正面図。
【図４】ブレーキペタルにゴム、合成樹脂のいづれかのゴムを有した断面図
【図５】ブレーキペタルの上部にオールゴル、鈴のいづれかの鈴を有した正面図。
【符号の説明】ブレーキペタル  （１）
溝              （２）
凹凸            （３）
アクセルペタル  （４）
孔              （５）
凸起部          （６）
ゴム            （７）
合成樹脂        （８）
オールゴル      （９）
鈴              （１０）
固定具          （１１）
【図１】
2012091765.tif 000003
【図２】
2012091765.tif 000004
【図３】
2012091765.tif 000005
【図４】
2012091765.tif 000006
【図５】
2012091765.tif 000007